(57)【要約】【課題】  昇降がスムーズに行えるとともに転倒を確実に防止することのできる。【解決手段】  踏板１２Ａ〜１２Ｆが所定の角度ずつ向きを変えて配置され曲がり部分１１を有し、この曲がり部分１１において内側にいくにしたがって踏板１２Ａ〜１２Ｆの幅が狭くなる階段であって、曲がり部分１１の内側に、踏板１２Ａ〜１２Ｆの幅が狭くなることにより階段が急勾配となる踏板の急勾配部分Ｓをを囲むように外側に張り出した張出し手摺３０を設けた。【選択図】  図１
2005256567.tif 000002
【特許請求の範囲】
【請求項１】
踏板が所定の角度ずつ向きを変えて配置され曲がり部分を有し、この曲がり部分におい
て内側にいくにしたがって前記踏板の幅が狭くなる階段であって、
前記曲がり部分の内側に、踏板の幅が狭くなることにより階段が急勾配となる踏板の内
側部分を囲むように、外側に張り出した張出し手摺を設けたことを特徴とする階段。
【請求項２】
前記張出し手摺は、高さの異なる位置にほぼ水平に配置された一対の手摺体から構成さ
れていることを特徴とする請求項１に記載の階段。
【請求項３】
前記手摺体は、ほぼ水平に設けられた板部材と、この板部材の周縁部に取り付けた手摺
部とを有していることを特徴とする請求項２に記載の階段。
【発明の詳細な説明】
【技術分野】
【０００１】
この発明は、曲がり部を有し、この曲がり部の内側にいくにしたがって踏板の幅が狭く
なる階段に関する。
【背景技術】
【０００２】
従来から、図１０に示す転倒防止を図った階段が知られている（特許文献１参照）。
【０００３】
かかる階段は、階段に沿って踏板の左右に交互に支柱１を設け、この支柱１に逆Ｌ字状
の突出手摺２を取り付け、この突出手摺２に衝撃吸収板３を設けたものである。
【０００４】
このような階段にあっては、複数の突出手摺２を左右に交互に配置させているので階段
の昇降の際に支障を来たしてしまい、スムーズな昇降ができない。また、支柱１や突出手
摺２にぶつかってしまう虞もあり、かえって危険なものになってしまう問題がある。特に
、支柱１および突出手摺２を階段の曲がり部の踏板に左右に交互に設けると、支柱１や突
出手摺２がその曲がり部の外側に立設されてい部分では、その曲がり部の内側を昇降する
ことになるが、踏板は曲がり部の内側にいくほど幅が狭くなっているので、かえって足を
踏み外して転倒してしまう虞がある。
【０００５】
また、転倒防止用として、階段の曲がり部の踏板に傾斜部を設けた階段が提案されてい
る（特許文献２参照）。
【０００６】
かかる階段では、踏板の内側（曲がり部の中心側）を高くすることにより外側を昇降さ
せるようにしたものである。
【特許文献１】特開２００３−１６１０１９号公報
【特許文献２】特開平９−２７９７９８号公報
【発明の開示】
【発明が解決しようとする課題】
【０００７】
しかしながら、このような階段にあっては、踏板の内側を高くして踏板を傾斜させてい
るので、踏板の内側を昇降した場合、体が不安定になってしまう虞があり、かえって転倒
の危険を増してしまう問題があった。
【０００８】
この発明の目的は、昇降がスムーズに行えるとともに転倒を確実に防止することのでき
る階段を提供することにある。
【課題を解決するための手段】
【０００９】
請求項１の発明は、踏板が所定の角度ずつ向きを変えて配置され曲がり部分を有し、こ
の曲がり部分において内側にいくにしたがって前記踏板の幅が狭くなる階段であって、
前記曲がり部分の内側に、踏板の幅が狭くなることにより階段が急勾配となる踏板の内
側部分を囲むように、外側に張り出した張出し手摺を設けたことを特徴とする。
【００１０】
請求項２の発明は、前記張出し手摺は、高さの異なる位置にほぼ水平に配置された一対
の手摺体から構成されていることを特徴とする。
【００１１】
請求項３の発明は、前記手摺体は、ほぼ水平に設けられた板部材と、この板部材の周縁
部に取り付けた手摺部とを有していることを特徴とする。
【発明の効果】
【００１２】
請求項１の発明によれば、階段の曲がり部分の内側部分を囲むように外側に張り出した
張出し手摺を設けたものであるから、その階段の曲がり部分の外側である踏み板の幅の広
い部分を昇り降りすることになり、このため踏み板から足を踏み外して転倒してしまうこ
とを防止することができる。
【００１３】
請求項２の発明によれば、手摺部が水平に配置されているので、その手摺部に寄り掛か
り易く、寄り掛かってもスベリ落ちてしまうことがない。また、高さの異なる位置に手摺
部を設けているので、昇る際に低い位置の手摺部から高い位置の手摺部へ、降りる際には
高い位置の手摺部から低い位置の手摺部へと掴み変えることにより、姿勢を崩さずに階段
を安全に昇降することができる。
【００１４】
請求項３の発明によれば、手摺体は水平に設けられた板部材を有しているので、手荷物
を置くことができる。
【発明を実施するための最良の形態】
【００１５】
以下、この発明に係る階段の実施例を図面に基づいて説明する。
【実施例】
【００１６】
［第１実施例］
図１ないし図３に示す階段１０は、曲がり部分１１を有し、この曲がり部分１１の踏板
１２Ａ〜１２Ｆは内壁１３の一端部１３Ａを中心にして所定の角度ずつ向きを変えて配置
されている。また、踏板１２Ａ〜１２Ｆは曲がり部分１１の内側にいくにしたがって、す
なわち内壁１３側にいくにしたがって踏板１２Ａ〜１２Ｆの幅が狭くなっている。
【００１７】
内壁１３には階段１０に沿って手摺２０,２１が設けられている。この手摺２０,２１は
、踏板１２の段鼻１２ｇから５００mm〜９００mmの高さＨ（図３のみに示す）に設けられ
ている。
【００１８】
また、内壁１３の一端部１３Ａを中心にして、この中心から半径３０cmの範囲Ｓ（図１
において斜線部分）が、踏板１２Ａ〜１２Ｆの幅が狭くなっていることにより階段が急勾
配となっている急勾配部分Ｓすなわち踏板１２Ａ〜１２Ｆの内側部分を囲む位置に、すな
わち平面視で急勾配部分Ｓを囲むように手摺２０と手摺２１の間を連結する張出し手摺３
０が設けられている。
【００１９】
この張出し手摺３０は、ほぼ半円形状の張出部３０Ａと、この張出部３０Ａと手摺２０
,２１とを連結する連結部３０Ｂとを有している。張出部３０Ａは、踏板１２Ａ〜１２Ｆ
の段鼻１２Ａｇ〜１２Ｆｇから一定の高さを保ちながら一定の傾きで傾斜していて螺旋状
になっている。連結部３０Ｂは、ほぼ水平に踏板１２の長手方向に沿って延びている。
【００２０】
また、階段１０の外壁１４には鎖線で示すように手摺２０,２１と同様に手摺２３〜２
５が設けられている。
【００２１】
この階段１０によれば、階段が急勾配となる急勾配部分Ｓを囲むように張出し手摺３０
が設けられているので、階段１０の昇降の際に急勾配部分Ｓを踏み込んでしまうことを防
止することができ、強制的に階段１０の曲がり部分１１の外側、すなわち、踏板１２Ａ〜
１２Ｆの幅の広い位置を昇降させることになり、踏板１２Ａ〜１２Ｆから足を踏み外して
転倒してしまうことを防止することができる。また、張出し手摺３０の下方には支柱等を
設けていないので、踏板１２Ａ〜１２Ｆの面積を従来と同様に確保することができ、足を
引っかけてしまうこともなく、スムーズに昇降することができる。
【００２２】
図４は他の例の張出し手摺５０を示したものであり、この張出し手摺５０は、半円形状
の張出部５０Ａと連結部５０Ｂとを有し、この連結部５０Ｂと張出部５０Ａとの連結部分
５０ｄが角張らないようにＲ状に形成させたものであり、昇降者が誤ってぶつかっても安
全を確保できるようにしたものである。
［第２実施例］
図５および図６は第２実施例の張出し手摺６０を示したものである。この張出し手摺６
０は、内壁１３の高さの異なる位置にほぼ水平に取り付けた一対の手摺部（手摺体）６１
,６２を有している。この手摺部６１,６２は、平面視で急勾配部分Ｓを囲むようになって
いる。
【００２３】
手摺部６１は、踏板１２Ａの段鼻１２Ａｇから５００mm〜９００mmの高さ位置にほぼ水
平に設けられており、手摺部６２は踏板１２Ｆの段鼻１２Ｆｇから５００mm〜９００mmの
高さＨ１の位置にほぼ水平に設けられている。
【００２４】
この第２実施例の階段１０の張出し手摺６０によれば、第１実施例と同様な効果を得る
ことができる他に、手摺部６１,６２がほぼ水平であるから、その手摺部６１,６２に寄り
掛かり易く、寄り掛かってもスベリ落ちてしまうことがない。また、手摺部６１,６２の
高さが異なるので、階段を昇る際に低い位置の手摺部６２から高い位置の手摺部６１へ、
降りる際には高い位置の手摺部６１から低い位置の手摺部６２へと掴み変えることにより
、姿勢を崩さずに階段１０を安全に昇降することができる。
【００２５】
［第３実施例］
図７および図８は第３実施例の張出し手摺７０を示したものである。この張出し手摺７
０は、内壁１３の高さの異なる位置にほぼ水平に取り付けた一対の手摺部体７１,７２を
有している。この手摺体７１,７２は、平面視で急勾配部分Ｓを覆うようになっている。
手摺体７１,７２は図７に示すように平面視で左右方向に位置がずれており、手摺体７２
は手摺体７１に対して右側にずれており、手摺体７２の下側に位置している。逆に、手摺
体７１は手摺体７２に対して左側にずれており、手摺体７１の上側に位置している。
【００２６】
手摺体７１は、内壁１３にほぼ水平に取り付けられた板部材７１Ａと、図９に示すよう
に板部材７１Ａの周縁７１Ａｂに取り付けた手摺部７１Ｂとから構成されている。手摺部
７１Ｂは、掴みやすいように断面がほぼ楕円形に形成されるとともに例えばウレタンから
構成され、誤って手摺部７１Ｂに昇降者がぶつかっても安全を確保できるようになってい
る。
【００２７】
手摺体７２は、内壁１３にほぼ水平に取り付けられた板部材７２Ａと、手摺体７１と同
様に板部材７２Ａの周縁７２Ａｂに取り付けた手摺部７２Ｂとから構成されている。手摺
部７２Ｂは、掴みやすいように断面がほぼ楕円形に形成されるとともに例えばウレタンか
ら構成されている。
【００２８】
この第３実施例の張出し手摺７０によれば、水平に設けられた板部材７１Ａ,７２Ａを
有しているので、手荷物を置くことができる。また、手摺体７２は手摺体７１に対して右
にずれているので、踏板１２Ｄ〜１２Ｆの範囲を昇降する際に手摺体７２の手摺部７２Ｂ
が掴み易く、手摺体７１は手摺体７２に対して左にずれているので、踏板１２Ａ〜１２Ｃ
の範囲を昇降する際に手摺体７１の手摺部７１Ｂが掴み易いものとなる。
【図面の簡単な説明】
【００２９】
【図１】この発明に係る第１実施例の階段を示した平面図である。
【図２】図１に示す階段を示した斜視図である。
【図３】図１の階段を図２と異なる角度から見た斜視図である。
【図４】第１実施例の他の例を示した平面図である。
【図５】第２実施例を示した平面図である。
【図６】図５の階段を示した斜視図である。
【図７】第３実施例の階段を示した平面図である。
【図８】図７に示す階段の斜視図である。
【図９】第３実施例の手摺体の部分拡大図である。
【図１０】従来の階段を示した説明図である。
【符号の説明】
【００３０】
１０                階段
１１                曲がり部分
１２                踏板
１２ｇ              段鼻
１２Ａ〜１２Ｆ      踏板
１２Ａｇ〜１２Ｆｇ  段鼻
２０,２１           手摺
３０                張出し手摺
３０Ａ              張出部
３０Ｂ              連結部
Ｓ                  急勾配部分
【図１】
2005256567.tif 000003
【図２】
2005256567.tif 000004
【図３】
2005256567.tif 000005
【図４】
2005256567.tif 000006
【図５】
2005256567.tif 000007
【図６】
2005256567.tif 000008
【図７】
2005256567.tif 000009
【図８】
2005256567.tif 000010
【図９】
2005256567.tif 000011
【図１０】
2005256567.tif 000012